(57)【要約】【課題】マット状に展開できるキルティングを施したシートを箱型に形成したベビークーファン本体に、開閉自在なベビークーファン用幌装置を着脱自在に取り付けることのできるベビークーファンを提供する。【解決手段】四角マット状に展開できるキルティングを施したシート10を箱型に形成したベビークーファン本体１に、一対の軸受部21、21に複数のコ字状の力骨22をその両端をもって起伏自在に軸支した幌用フレーム20に可撓性の幌部材3を取り付けてなるベビークーファン用幌装置2を前記一対の軸受部21、21の下方に設けた係合手段4により該ベビークーファン本体1の両側面部10b、10bに着脱自在に取り付ける。【選択図】図１
0003130171.tif 000002
【実用新案登録請求の範囲】
【請求項１】
四角マット状に展開できるキルティングを施したシートを箱型に形成したベビークーファン本体に、一対の軸受部に複数のコ字状の力骨をその両端をもって起伏自在に軸支した幌用フレームに可撓性の幌部材を取り付けてなるベビークーファン用幌装置を前記一対の軸受部の下方に設けた係合手段により該ベビークーファン本体の両側面部に着脱自在に取り付けたことを特徴とするベビークーファン。
【請求項２】
幌用フレームの一対の軸受部の下方に設けた係合手段をベビークーファンの両側面部上端を挟持する断面Ｕ字状のクリップよりなるものとした請求項１に記載のベビークーファン。
【請求項３】
幌用フレームの一対の軸受部の下方に設けた係合手段をベビークーファンの両側面部に設けた縦ポケット部に挿し込み自在な縦杆部よりなるものとした請求項１に記載のベビークーファン。
【請求項４】
幌用フレームの一対の軸受部の下方に設けた係合手段をベビークーファンの両側面部に設けた横ポケット部に挿し込み自在な横杆部よりなるものとした請求項１に記載のベビークーファン。
【請求項５】
幌用フレームの一対の軸受部の下方に設けた係合手段の後方にベビークーファン本体の両側面部の後方部と後面部を囲装するコ字状の補強用係合枠を設けた請求項２又は３又は４に記載のベビークーファン。
【請求項６】
幌用フレームの一対の軸受部に起伏自在に軸支した複数のコ字状の力骨を両側杆部と水平杆部との間において折りたたみ自在に連結した請求項２又は３又は４に記載のベビークーファン。
【請求項７】
幌用フレームの一対の軸受部に起伏自在に軸支した複数のコ字状の力骨を両側杆部と水平杆部との間において折りたたみ自在に連結するとともに、ベビークーファン本体の両側面部の後方部と後面部を囲装するコ字状の補強用係合枠を両側杆部と水平杆部との間において折りたたみ自在に連結した請求項５に記載のベビークーファン。
【考案の詳細な説明】
【技術分野】
【０００１】
本考案は、マット状に展開できるキルティングを施したシートを箱型に形成したベビークーファン本体に、ベビークーファン用幌装置を着脱自在に取り付けることのできるベビークーファンに関するものである。
【背景技術】
【０００２】
従来のマット状に展開できるシートを箱型に形成したベビークーファン本体に幌装置を取り付けたベビークーファンとしては実公昭５４−１１１６４号（特許文献１）にあるようにシート状部材よりなる幌をベビークーファンに着脱自在に取り付けたものがある。しかし、これは幌の開閉や開き具合を調節できないものであった。
【０００３】
また、力骨を起伏自在として幌を開閉できるものとしては、籐製のベビークーファンの両側にに力骨を軸支して該力骨に折畳自在な幌を取り付けたものもあるが、これは、幌装置全体を容易に取り外すことができないため不使用時において保管・運搬する際に幌部材により嵩張る問題がある。
【特許文献１】実公昭５４−１１１６４号公報
【考案の開示】
【考案が解決しようとする課題】
【０００４】
本考案は前記のような問題点を解決して、マット状に展開できるキルティングを施したシートを箱型に形成したベビークーファン本体に、開閉自在なベビークーファン用幌装置を着脱自在に取り付けることのできるベビークーファンを提供することを目的として完成されたものである。
【課題を解決するための手段】
【０００５】
本考案のベビークーファンは、四角マット状に展開できるキルティングを施したシートを箱型に形成したベビークーファン本体に、一対の軸受部に複数のコ字状の力骨をその両端をもって起伏自在に軸支した幌用フレームに可撓性の幌部材を取り付けてなるベビークーファン用幌装置を前記一対の軸受部の下方に設けた係合手段により該ベビークーファン本体の両側面部に着脱自在に取り付けたことを特徴とするものを基本の考案とする。
【０００６】
また、前記の基本の考案において、幌用フレームの一対の軸受部の下方に設けた係合手段をベビークーファンの両側面部上端を挟持する断面Ｕ字状のクリップよりなるものとしてもよい。さらに、前記の基本の考案において、幌用フレームの一対の軸受部の下方に設けた係合手段をベビークーファンの両側面部に設けた縦ポケット部に挿し込み自在な縦杆部よりなるものとしてもよく、また、幌用フレームの一対の軸受部の下方に設けた係合手段をベビークーファンの両側面部に設けた横ポケット部に挿し込み自在な横杆部よりなるものとしてもよいものである。
【０００７】
また、前記した幌用フレームの一対の軸受部の下方に設けた係合手段の後方にベビークーファン本体の両側面部の後方部と後面部を囲装するコ字状の補強用係合枠を設けてもよい。
【０００８】
また、前記の幌用フレームの一対の軸受部に起伏自在に軸支した複数のコ字状の力骨を両側杆部と水平杆部との間において折りたたみ自在に連結したものとすることが好ましく。これに加えて、ベビークーファン本体の両側面部の後方部と後面部を囲装するコ字状の補強用係合枠を設けたものにあっては該コ字状の補強用係合枠の両側杆部と水平杆部との間において折りたたみ自在に連結したものとすることが好ましいものである。
【考案の効果】
【０００９】
前記した本考案のベビークーファンは、箱型に形成したベビークーファン本体に、一対の軸受部に複数のコ字状の力骨をその両端をもって起伏自在に軸支した幌用フレームに可撓性の幌部材を取り付けてなるベビークーファン用幌装置を取り付けたものであるから、力骨の起伏角度を調整することにより可撓性の幌部材を開閉したり覆い面積を調節できるものである。
【００１０】
また、ベビークーファン用幌装置は一対の軸受部の下方に設けた係合手段によりベビークーファン本体の両側面部に着脱自在に取り付けたものであるから、不使用時において保管・運搬する際やベビークーファン本体をマット状に展開してマットして使用する際には容易に取り外すことができるものである。そして、マットして使用する際にはベビークーファン用幌装置を着脱するのは展開時にマットの隅方向であるベビークーファン本体の両側面部であるから着脱個所に係合手段のための加工を施してもマットとしての使用に障害とならないものである。
【００１１】
前記幌用フレームの一対の軸受部の下方に設けた係合手段をベビークーファン本体の両側面部上端を挟持する断面Ｕ字状のクリップよりなるものとすれば、ベビークーファン本体側にベビークーファン用幌装置を着脱させるための手段を設ける必要がないという利点がある。
【００１２】
さらに、幌用フレームの一対の軸受部の下方に設けた係合手段をベビークーファンの両側面部に設けた縦ポケット部に挿し込み自在な縦杆部よりなるもの、また、幌用フレームの一対の軸受部の下方に設けた係合手段をベビークーファンの両側面部に設けた横ポケット部に挿し込み自在な横杆部よりなるものとしたものにあっても、ベビークーファン用幌装置を外した縦ポケット部及び横ポケット部は平面状でマットの下面側となるので、キルティングの綿に埋没してマット表面が凸凹となることがないものである。
【００１３】
また、幌用フレームの一対の軸受部の下方に設けた係合手段の後方にベビークーファン本体の両側面部の後方部と後面部を囲装するコ字状の補強用係合枠を設けることにより、補強して安定して取り付けできるものである。
【００１４】
また、幌用フレームの一対の軸受部に起伏自在に軸支した複数のコ字状の力骨を両側杆部と水平杆部との間において折りたたみ自在に連結したものとしたり、コ字状の補強用係合枠の両側杆部と水平杆部との間において折りたたみ自在に連結したものとすると、ベビークーファン用幌装置をベビークーファン本体側から取り外し後に力骨を重ね合わせるように纏めれば両側杆部を水平杆部に添うようにコンパクトに折り畳むことができるものである。
【考案を実施するための最良の形態】
【００１５】
次に、本考案の好ましい実施の形態を図面に基づき説明する。
１は箱型に形成したベビークーファン本体であり、該ベビークーファン本体１は四角マット状に展開できるキルティングよりなるシート１０を箱型に形成してなるものである。すなわち、図２に示すようなキルティングよりなる１枚のシート１０その中央を長方形状の底面１０ａに形成して該底面１０ａの両縦側縁に側面部１０ｂ、１０ｂを横側縁に前後面部１０ｃ、１０ｃを続かせて形成して、側面部１０ｂ、１０ｂと前後面部１０ｂ、１０ｂとの間の四隅を漏斗型に折り畳みファスナー類１１で止着して箱型に形成し、さらに、前記側面部１０ｂ、１０ｂの外側に補強用のひだ１０ｄを折曲形成したものである。そして、このように箱型としたベビークーファン本体１内に適宜なインナーシート等を組み込み使用するものである。
【００１６】
２は前記ベビークーファン本体１に着脱自在に取り付けるベビークーファン用幌装置であり、該ベビークーファン用幌装置２は一対の軸受部２１、２１に複数のコ字状の力骨２２をその両端をもって起伏自在に軸支した幌用フレーム２０に可撓性の幌部材３を取り付けてなるものである。
【００１７】
そして、前記ベビークーファン用幌装置２は、前記一対の軸受部２１、２１の下方に設けた係合手段４により該ベビークーファン本体１の両側面部１０ｂ、１０ｂに着脱自在に取り付けたものとしている。
【００１８】
このように構成されたものは、通常は箱型に形成したベビークーファン本体１内にインナーシート等を装着したうえ赤ちゃんを入れて使用すれば、ベビークーファン本体１には一対の軸受部２１、２１に複数のコ字状の力骨２２をその両端をもって起伏自在に軸支した幌用フレーム２０に可撓性の幌部材３を取り付けてなるベビークーファン用幌装置２を取り付けたものであるから、力骨２２の起伏角度を調整することにより可撓性の幌部材３を開閉したり覆い面積を調節して赤ちゃんに当たる風、光を調整できるものである。
【００１９】
また、ベビークーファン用幌装置２は不使用時において保管・運搬する際やベビークーファン本体１をマット状に展開してマットして使用する際には容易に取り外すことができるものである。そして、マットして使用する際にはベビークーファン用幌装置２を着脱するのは展開時にマットの隅方向であるベビークーファン本体１の両側面部１０ｂ、１０ｂであるから着脱個所に係合手段のための加工を施してあってもマットとしての使用に障害とならないものである。
【００２０】
なお、前記のベビークーファン用幌装置２の一対の軸受部２１、２１の下方に設けた係合手段４、４は図１に示す第１の実施形態のものは、ベビークーファン本体１の両側面部１０ｂ、１０ｂの上端を挟持する断面Ｕ字状のクリップ４１、４１よりなるものとしており、この場合にはベビークーファン本体１側にベビークーファン用幌装置２を着脱するための加工を不要とするので従来のこの種四角マット状に展開できるキルティングよりなるシート１０を箱型に形成してなるベビークーファンに取付けるだけで製造できる利点がある。
【００２１】
また、前記のベビークーファン用幌装置２の一対の軸受部２１、２１の下方に設けた係合手段４、４を、図５に示す第２の実施形態のようにベビークーファン本体１の両側面部１０ｂ、１０ｂに設けた縦ポケット部５ａに挿し込み自在に保持される縦杆部４２、４２よりなるものとしてもよい。なお、幌用フレーム２０を全体を実線で示すため幌部材３を一点鎖線で表してる。この場合においてもベビークーファン用幌装置２を外したベビークーファン本体１を図６に示すように四角マット状に展開してマットとして使用すれば縦ポケット部５ａは下面側となるので、キルティングの綿に埋没してマット表面が凸凹となることがないものである。
【００２２】
また、前記のベビークーファン用幌装置２の一対の軸受部２１、２１の下方に設けた係合手段４、４を、図７に示す第３の実施形態のようにベビークーファン本体１の両側面部１０ｂ、１０ｂに設けた横ポケット部５ｂに挿し込み自在に保持される縦杆部４３、４３よりなるものとしてもよい。なお、幌用フレーム２０を全体を実線で示すため幌部材３を一点鎖線で表してる。この場合においてもベビークーファン用幌装置２を外したベビークーファン本体１を図８に示すように四角マット状に展開してマットとして使用すれば縦ポケット部５ｂは下面側となるので、キルティングの綿に埋没してマット表面が凸凹となることがないものである。
【００２３】
また、前記何れの実施形態にあっても幌用フレーム２０の一対の軸受部２１、２１の下方に設けた係合手段４、４の後方にベビークーファン本体１の両側面部１０ｂ、１０ｂの後方部と後面部１０ｃを囲装するコ字状の補強用係合枠６を設けている。このコ字状の補強用係合枠６を設けることによりベビークーファン用幌装置２をベビークーファン本体１に安定して取り付けできるものである。なお、コ字状の補強用係合枠６をベビークーファン本体１に的確に囲装状態を保持さえるため両側面部１０ｂ、１０ｂ及び後面部１０ｃに面ファスナー等のキルティングの綿に埋没してマット表面が凸凹となることがない止着具８を設けておくことが好ましいものである。
【００２４】
さらに、幌用フレーム２０の一対の軸受部２１、２１に起伏自在に軸支した複数のコ字状の力骨２２を図３、図４に示すように両側杆部２２ａ、２２ａと水平杆部２２ｂとの間において折りたたみ自在に連結したものとしたり、コ字状の補強用係合枠６の両側杆部６ａ、６ａと後杆部６ｂとの間において折りたたみ自在に連結したものとすると、ベビークーファン用幌装置２をベビークーファン本体側１から取り外し後に力骨２２を重ね合わせるように纏めてコンパクトに折り畳むことができるものである。なお、図３、図４において幌用フレーム２０の折り畳み状態を明瞭に表すため幌部材３の図示を省略した。
【００２５】
この場合に軸受部２１に主回動軸部２１ａを軸支して該主回動軸部２１ａに１本の力骨２２の基端部を固定させて取り付け、また、主回動軸部２１ａに設けた支軸部２１ｂに１本の力骨２２の基端部を軸支して、コ字状の力骨２２の２本をその基端部をもって起伏自在に軸支するものとすれば、図３に示すように２本の力骨２２を平行に重ね合わせるように纏めることができ、図４に示すようにそれぞれの力骨２２が他の力骨２２に干渉されることなく両側杆部２２ａ、２２ａを水平杆部２２ｂに添うようにコンパクトに折り畳むことができるものである。
【００２６】
なお、図示の力骨２２はＬ字状のヒンジ部材８の両端に設けた差込穴に側杆部２２ａと水平杆部２２ｂとの端部を嵌合して折り畳み自在に連結したものである。しかし、これに限ることなく例えば、側杆部２２ａと水平杆部２２ｂとを直接ヒンジ連結してもよく、また、両側杆部２２ａ、２２ａと水平杆部２２ｂとをＡＢＳ等の合成樹脂により一体とし側杆部２２ａと水平杆部２２ｂとのあいだを肉薄として屈曲できるものとしてもよい。
【図面の簡単な説明】
【００２７】
【図１】本考案の第１の実施形態を示す一部切欠斜視図。
【図２】本考案の第１の実施形態に使用するベビークファン本体をマット状として示す斜視図。
【図３】本考案の第１の実施形態に使用する幌用フレームを示す斜視図。
【図４】本考案の第１の実施形態に使用する幌用フレームを態様を異にして示す斜視図。
【図５】本考案の第２の実施形態を示す一部切欠斜視図。
【図６】本考案の第２の実施形態に使用するベビークファン本体をマット状として示す斜視図。
【図７】本考案の第３の実施形態を示す一部切欠斜視図。
【図８】本考案の第３の実施形態に使用するベビークファン本体をマット状として示す斜視図。
【符号の説明】
【００２８】
１  ベビークーファン本体
10  シート
10b  側面部
10c  後面部
２  ベビークーファン用幌装置
21  軸受部
22  力骨
22a  側杆部
22b  水平杆部
３  幌部材
４  係合手段
41  クリップ
42  縦杆部
43  横杆部
5a  縦ポケット部
5b  横ポケット部
６  補強用係合枠
【図１】
0003130171.tif 000003
【図２】
0003130171.tif 000004
【図３】
0003130171.tif 000005
【図４】
0003130171.tif 000006
【図５】
0003130171.tif 000007
【図６】
0003130171.tif 000008
【図７】
0003130171.tif 000009
【図８】
0003130171.tif 000010